(57)【要約】【課題】足元への暖房効果を十分に高めること可能とする暖房テーブルを提供することを目的とする。【解決手段】本実施の形態に係る暖房テーブル１は、テーブル本体２と、テーブル本体２に支持されるヒータ保持部材３とから構成される。ヒータ使用時には、テーブル本体２の脚体５を構成する脚５ａの側面に形成された貫通孔８Ａ，８Ａと、ヒータ保持部３の両側面に形成されたネジ孔９，９とが連通する位置にヒータ保持部材３を配置した状態で、ネジ１０，１０を螺合することにより、ヒータ保持部材３を脚５ａの上下方向の略中間位置に支持する。また、ヒータ不使用時には、ネジ孔９，９が脚５ａの上部の貫通孔８Ｂ，８Ｂと連通する位置にヒータ保持部材３を配置した状態で、ネジ１０，１０を螺合することにより、ヒータ保持部材３を天板４の下面近傍の収納位置に支持する。【選択図】      図２
2004251540.tif 000002
【特許請求の範囲】
【請求項１】
脚体及び当該脚体上に保持される天板から成るテーブル本体と、当該テーブル本体に対して支持されるヒータ保持部材とを備えた暖房テーブルであって、
前記ヒータ保持部材は、前記脚体の上下方向の中途位置に取り外し可能に支持することを特徴とする暖房テーブル。
【請求項２】
前記ヒータ保持部材は、さらに前記天板の下面近傍に取り外し可能に支持することを特徴とする請求項１に記載の暖房テーブル。
【発明の詳細な説明】
【０００１】
【発明の属する技術分野】
本発明は、天板の下面側に暖房装置（ヒータ）を備えた暖房テーブルに関する。
【０００２】
【従来の技術】
従来より、テーブル本体の下部空間を暖めるため、テーブル本体を構成する天板の下面側等に暖房装置（ヒータ）を備えた種々の暖房テーブルが用いられている。
このような暖房テーブルでは、ヒータが天板の下面側に取り付けられていることから、一般に、椅子に着座した者の足元については暖気が十分に行き届かないという課題があり、当該課題を解決するためのものとして、暖房テーブルの天板の下面側に温風吹出用のファンを有するヒータを備えた構成が公知となっている（例えば、特許文献１参照。）
【０００３】
【特許文献１】
特開２０００−３２０８９５号公報（第２頁、図１）
【０００４】
【発明が解決しようとする課題】
しかし、特許文献１に記載の暖房テーブルのように、温風吹出用のファンを有するヒータを備えた場合であっても、暖房テーブルの高さによってはヒータから足元までの距離が遠くなり足元に対し暖気を行き届かせることが困難な場合があり、十分な暖房効果を得ることができないという問題があった。
これに対し、発熱量の大きなヒータを用いることも考えられるが、暖気は上昇して暖房テーブル天板の下部空間の上方に溜まることとなるため、ヒータから足元までの距離が遠い場合には、発熱量の大きなヒータを用いても足元への暖房効果を高めることはできなかった。また、ファンによる暖気の吹き出しを強くすることも考えられるが、ヒータが大型化することとなり、また、天板への振動や騒音が大きくなるという問題があった。
【０００５】
本発明は、前記課題を解決するためのものであり、ヒータを変更すること無く、足元への暖房効果を十分に高めることのできる暖房テーブルを提供することを目的とする。
【０００６】
【課題を解決するための手段】
上記の課題を解決するため本発明は、脚体及び当該脚体上に保持される天板から成るテーブル本体と、当該テーブル本体に対して支持されるヒータ保持部材とを備えた暖房テーブルであって、前記ヒータ保持部材は、前記脚体の上下方向の中途位置に取り外し可能に支持することを特徴とする。これにより、ヒータを足元に近い位置で支持することができ、足元への暖房効果を確実に高めることが可能となる。
ここで、前記ヒータ保持部材は、さらに前記天板の下面近傍に取り外し可能に支持することにより、ヒータを使用しない時期には、ヒータ保持部材を容易に収納することができる。
【０００７】
さらに、前記ヒータ保持部材は、椅子を配置する方向について、前記天板よりも小形に形成することにより、ヒータを足元に近い位置で支持させた場合に、ヒータ保持部材が足元で邪魔になるのを防止することができる。
【０００８】
【発明の実施の形態】
以下、本発明の実施の形態について、図面に基づき説明する。
図１は本発明の一実施の形態に係る暖房テーブルの全体を示す斜視図、図２は暖房テーブルの要部を示す斜視図、図３は暖房テーブル全体を示す側面図、図４はヒータ使用状態の説明図である。
本実施の形態に係る暖房テーブル１は、テーブル本体２と、テーブル本体２に支持されるヒータ保持部材３とから構成される。
テーブル本体２は、天板４と、複数の脚５ａ及び複数の脚５ａ上に固定された補助天板５ｂとから成る脚体５と、各脚５ａ，５ａを連結する補強部材６とから構成される。天板４は、脚体５の補助天板５ｂ上に載置して、ネジ等の保持部材により取り外し可能に保持する。
ヒータ保持部材３は、天板４よりも小形の矩形状に形成され、ヒータ保持部材３の下面側の略中央位置にはヒータ７が保持されている。ヒータ保持部材３の長手方向は脚５ａ，５ａの間隔と略同様に形成され、椅子を配置する方向（反長手方向）は、ヒータ７を保持可能な程度の幅に形成されている。
【０００９】
本実施の形態では、ヒータ保持部材３の支持部として、各脚５ａ，５ａの側面の上部及び高さ方向の略中間位置に貫通孔８Ａ，８Ａ，８Ｂ，８Ｂが形成されている。また、ヒータ保持部材３の長手方向の両側面部には、ネジ孔９，９が設けられており、図２（ａ）に示すように、ヒータ使用時には、ネジ孔９，９が脚５ａ，５ａの中間位置の貫通孔８Ａ，８Ａと連通する位置にヒータ保持部材６を配置した状態で、ネジ１０，１０を螺合することにより、図３（ａ）に示すように、ヒータ保持部材６が略水平状態となって脚５ａ，５ａに支持される。
本実施の形態では、脚５ａ，５ａに形成された貫通孔８Ａ，８Ａの位置を脚５ａ，５ａの上下方向の略中間位置に設定し、ヒータ保持部材３を補強部材６の下側に支持することとしている。
また、図２（ｂ）に示すように、ヒータ不使用時には、ネジ孔９，９が脚５ａ，５ａの上部の貫通孔８Ｂ，８Ｂと連通する位置にヒータ保持部材３を配置した状態で、ネジ１０，１０を螺合することにより、図３（ｂ）に示すように、ヒータ保持部材３が天板４の下面近傍において略水平状態となるように支持される。
【００１０】
以上の構成により、本実施の形態に係る暖房テーブル１では、冬季等、暖房の必要な時期には、図１，図２（ａ），図３（ａ）に示すように、ヒータ保持部材３を脚５ａ，５ａの略中間位置に支持した状態とすることにより、図４に示すように、ヒータ７によって暖められた暖気Ｗにより直接足元を暖めるとともに、上昇した暖気Ｗにより天板４下部の空間Ｓ全体を暖めることとなる。特に、テーブル本体２を構成する天板４と補助天板５ｂとの間にこたつ布団１１を介挿して、空間Ｓを覆った場合には、より確実に足元を含めた空間Ｓ全体の暖房効果を高めることができる。
また、夏季等、暖房の不要な時期には、図２（ｂ），図３（ｂ）に示すように、ネジ１０，１０の螺合を解除して、脚５ａ，５ａの中間位置からヒータ保持部材３を取り外すとともに、脚５ａ，５ａの上部位置でネジ１０，１０を螺合して、天板４の下面近傍の収納位置に支持した状態とする。
【００１１】
以上のように、本実施の形態に係る暖房テーブル１では、ヒータ７を保持するヒータ保持部材３を、テーブル本体２の脚体５を構成する脚５ａ，５ａの上下方向の略中間位置に支持することとしたので、足元への暖房効果を確実に高めることが可能になるとともに、暖気Ｗの上昇により、天板４下部の空間Ｓ全体を暖めることが可能となる。
また、ヒータ保持部材３を、さらに天板４の下面近傍の収納位置に支持することとしたので、夏季等、暖房の不要な時期には、ヒータ保持部材３を容易に収納することができる。
また、各支持部に貫通孔８Ａ，８Ｂを形成し、各貫通孔８Ａ，８Ｂ及びヒータ保持部材３のネジ孔９にネジ１０を螺合することによりヒータ保持部材３を支持することとしたので、ヒータ保持部材３の取り外し及び支持位置の変更を容易に行うことができる。
さらに、ヒータ保持部材３について、椅子を配置する方向の幅をヒータ７と略同程度の細幅に形成したので、椅子に着座した者の足元の空間を適切に確保することができ、ヒータ使用時にヒータ保持部材３が足元で邪魔となるのを防止することができる。
【００１２】
前記実施の形態では、脚体が二本の脚により構成される場合の本発明の適用形態を説明したが、これに限られるものではなく、例えば、脚体が四本の脚により構成される場合であっても適用することができる。
図５は、本発明の他の実施の形態に係る四本脚の暖房テーブル全体を示す斜視図（及び要部側断面図）である。
本実施の形態に係る暖房テーブル２０は、テーブル本体２１と、ヒータ保持部材２２とから構成される。
テーブル本体２１は、天板２３と、四本の脚２４ａ及び補助天板２４ｂから成る脚体２４とから構成される。
ヒータ保持部材２２は、中央に設けられた平面視略矩形状のヒータ保持部２２ａと、ヒータ保持部２２ａの四隅から脚体２４を構成する各脚２４ａ，２４ａ，２４ａ，２４ａに対して放射状に延長する腕部２２ｂ，２２ｂ，２２ｂ，２２ｂとから構成されている。ヒータ保持部２２ａは、下面側にヒータ（図示は省略）を保持可能な程度の小形の矩形状に形成されている。
各脚２４ａには、ヒータ保持部材２２の支持部として、上下方向の略中間位置において、内側面に各腕部２２ｂ先端の受け部２５が設けられており、各受け部２５の上面側に開口するはネジ孔２５ａが形成されている。また、各腕部２２ｂの先端部は、各脚２４ａの内側面に当接する形状に形成され、各受け部２５の上面に載置される。各腕部２２ｂの先端部には、各受け部２５のネジ孔２５ａに連通する貫通孔２６が形成されており、腕部２２ｂ先端部の上面側からネジ２７を螺合することにより、ヒータ保持部材２２を脚２４ａ，２４ａ，２４ａ，２４ａの略中間位置に支持する。
なお、図示は省略しているが、脚体２４を構成する補助天板２４ｂの下面側において、各腕部２２ｂ先端に形成された貫通孔２６に対応する位置にネジ孔が形成されており、各腕部２２ｂの下面側からネジ２７を螺合することにより、ヒータ保持部材２２を収納位置に支持可能としている。
以上のように、脚体２４が四本の脚２４ａを有する場合であっても、前記実施の形態と同様にヒータ保持部材２２を各脚体の上下方向の中間位置に取り外し可能に支持することができるとともに、ヒータ不使用時には、天板２３の下面近傍の収納位置に支持することができる。
この場合、ヒータ保持部材２２を、小形の矩形を成すヒータ保持部２２ａと、ヒータ保持部２２ａから各脚２４ａに対し放射状に延長する腕部２２ｂとから構成することにより、四方向に椅子を配置した場合であっても、椅子に着座した者の足元の空間を適切に確保することができ、ヒータ保持部材２２が足元で邪魔となるのを適切に防止することが可能となる。
【００１３】
なお、前記各実施の形態では、ヒータ保持部材の支持部として、脚体又は天板の各支持位置に貫通孔又はネジ孔を形成し、ヒータ保持部材を脚又は補助天板に対しネジにより取り外し可能に支持することとしているが、これに限られるものではなく、他の部材により支持することとしてもよい。また、ヒータ保持部材の先端部を係合する係合溝を各脚体の各支持位置に形成して、支持部を構成することとしてもよい。
また、テーブル本体を構成する脚体について複数の脚と補助天板とから構成することとしているが、これに限られるものではなく、複数の脚のみから脚体を構成し、各脚の上面に天板を直接固定する構成としてもよい。この場合には、ヒータ保持部材を天板の下面に支持する支持部を設けることとしてもよい。
また、脚体を構成する脚の数は、二本又は四本に限られるものではなく、他の本数としてもよい。
また、ヒータ保持部材の支持部を、脚体を構成する脚の上下方向の略中間位置に設けることとして説明したが、足元への暖房効果を高めることが可能であれば、さらに下方寄り又は上方寄り等、脚の中途位置のいずれに支持部を設けることとしてもよい。この場合、複数の位置に支持部を設けることとしてもよく、これにより、ヒータの熱量，外気温等に応じた適切な支持位置の変更が可能となる。
また、ヒータ保持部材は、少なくとも天板より小形の矩形状のヒータ保持部を有するものとして説明したが、ヒータ保持部材の形状はこれに限られるものではなく、椅子を配置する方向に対して足元の空間を確保できるものであればよく、例えば、椅子を配置する部位に切欠きを形成することとしてもよい。
また、本発明の暖房テーブルでは、ヒータとして種々のものを用いることができ、例えば、温風吹出し用ファンを備えたものを用いることとしてもよい。この場合には、天板とヒータ保持部材と間に隙間が生じるため、温風吹出し用ファンによる騒音，振動等の影響を最小限のものとすることができる。
【００１４】
【発明の効果】
以上、説明したように、本発明の暖房テーブルによれば、次のような効果を奏する。
（１）ヒータ保持部材を、脚体を構成する各脚の上下方向の中途位置に取り外し可能に支持することとしたので、ヒータを足元に近い位置に配置することができ、足元への暖房効果を確実に高めることが可能となるとともに、暖気の上昇により暖房テーブルの下部空間を適切に暖めることができる。
（２）また、前記ヒータ保持部材を、さらに天板の下面近傍に取り外し可能に支持することにより、ヒータを使用しない時期の収納が容易となる。
（３）さらに、前記ヒータ保持部材を、椅子を配置する方向について、前記天板よりも小形に形成することにより、ヒータ使用時においてヒータ保持部材を脚体の中途位置に支持させた場合にも、椅子に着座した者の足元の空間を確保することができ、ヒータ保持部材が足元で邪魔になるのを防止することができる。
【図面の簡単な説明】
【図１】本発明の一実施の形態に係る暖房テーブルの全体を示す斜視図である。
【図２】本発明の一実施の形態に係る暖房テーブルの要部斜視図である。
【図３】本発明の一実施の形態に係る暖房テーブルの側面図である。
【図４】本発明の一実施の形態に係る暖房テーブルにおける暖気の流れを説明するための図である。
【図５】本発明の他の実施の形態に係る暖房テーブルの全体を示す斜視図である。
【符号の説明】
１    暖房テーブル
２    テーブル本体
３    ヒータ保持部材
４    天板
５    脚体
５ａ  脚
５ｂ  補助天板
６    補強部材
７    ヒータ
８Ａ，８Ｂ  貫通孔
９    ネジ孔
１０    ネジ
１１    こたつ布団
Ｓ    空間
Ｗ    暖気
２０    暖房テーブル
２１    テーブル本体
２２    ヒータ保持部材
２２ａ  ヒータ保持部
２２ｂ  腕部
２３    天板
２４    脚体
２４ａ  脚
２４ｂ  補助天板
２５    受け部
２５ａ  ネジ孔
２６    貫通孔
２７    ネジ
【図１】
2004251540.tif 000003
【図２】
2004251540.tif 000004
【図３】
2004251540.tif 000005
【図４】
2004251540.tif 000006
【図５】
2004251540.tif 000007